(57)【特許請求の範囲】
【請求項１】
パルスオキシメータ内のクロストークの影響を低減するための方法であって、
ＬＥＤ駆動信号に関する初期パルス幅及びパルスレートを設定する工程（１１０）と、
パルスオキシメータ内部で発生したクロストークを計測する工程（１２０）と、
クロストークを基準としてＬＥＤ駆動信号に関するパルス幅を最小化する工程（１３０）と、
を含む方法。
【請求項２】
クロストークを計測する前記工程（１２０）は、パルスオキシメータ内部で結合される容量性、誘導性及び抵抗性の電力のうちの少なくとも１つに起因するＬＥＤ駆動信号と同期した電気クロストークを計測する工程を含む、請求項１に記載の方法。
【請求項３】
パルス幅を最小化する前記工程（１３０）は、クロストークがＳｐＯ２確度仕様に基づいて規定されるしきい値に到達するまでパルス幅を最小化する工程を含む、請求項１に記載の方法。
【請求項４】
パルス幅を最小化する前記工程（１３０）は、クロストークを基準としてＬＥＤ駆動信号に関するパルスレートを調整する工程を含む、請求項１に記載の方法。
【請求項５】
変調させたＬＥＤ駆動信号を発生させることによってパルスオキシメータ内の電力消費を低減する工程をさらに含んでおり、該変調させたＬＥＤ駆動信号はクロストークに基づいて変調されている、請求項１に記載の方法。
【請求項６】
複数の光エミッタ及び少なくとも１つの検出器を用いて動脈血酸素飽和度を監視する方法であって、
事前設定の初期特性を有するエミッタ駆動信号を用いて酸素レベルの監視を開始する工程（３１０）と、
パルスオキシメータ内部で発生した電気クロストークを取得する工程（３２０）と、
クロストークに由来して監視された酸素レベルに発生する誤差値を決定する工程（３３０）と、
誤差値をしきい値と比較する工程（３４０）と、
エミッタ駆動信号のデューティサイクルを誤差値がしきい値未満になるまで調整する工程（３５０）と、
動脈血酸素飽和度を特定する工程（３６０）と、
を含む方法。
【請求項７】
デューティサイクルを調整する前記工程（３５０）はさらに、サンプリング前にクロストークが検出器信号からダイオフされるようにその誤差値に基づいて検出信号のサンプリングモーメントを調整する工程を含む、請求項６に記載の方法。
【請求項８】
複数の探触子に適応するようにパルスオキシメータを構成する方法であって、
複数の探触子から少なくとも１つの探触子を選択する工程（４１０）と、
前記選択した探触子を事前設定の初期特性を有する駆動信号によって起動する工程（４２０）と、
前記選択した探触子を基準としてパルスオキシメータ内部で発生したクロストークの値にアクセスする工程（４３０）と、
前記選択した探触子に関して許容可能なクロストークのしきい値を取得する工程（４４０）と、
探触子に由来して発生したクロストークを基準として駆動信号のデューティサイクルを最小化する工程（４５０）であって、該デューティサイクルがクロストークがしきい値に到達するまで最小化される最小化工程と、
を含む方法。
【請求項９】
パルスオキシメータであって、
異なる波長で放射を放出するように構成された少なくとも２つのエミッタ（５１２）及び該放射を受け取るための少なくとも１つの検出器（５１４）を含む少なくとも１つの探触子（５１０）と、
事前設定の初期特性を有する駆動信号をエミッタに提供するための駆動ユニット（５２０）と、
パルスオキシメータ内部で発生した駆動信号と同期した電気クロストーク（５４０）を特定するように構成されたクロストーク特定器（５３０）と、
駆動信号のデューティサイクルをクロストークを基準として調整するように構成されたプロセッサ（５６０）と、
を備えるパルスオキシメータ。
【請求項１０】
駆動信号に関する所望のデューティサイクルがパルスオキシメータの動作を初期化する前あるいはパルスオキシメータが動作している間に設定されている、請求項９に記載のパルスオキシメータ。
【発明の詳細な説明】
【技術分野】
【０００１】
（関連出願の相互参照）
本出願は、２００５年１１月８日にＲａｎｔａｌａらに付与された「パルスオキシメータ（Ｐｕｌｓｅ  Ｏｘｉｍｅｔｅｒ）」と題する本願譲受人に譲渡された米国特許第６，９６３，７６７  Ｂ２号（その全体を参照により本明細書に組み込むものとする）に関連する。
【０００２】
本発明は全般的にはパルスオキシメータに関し、さらに詳細にはパルスオキシメータ内のクロストークの影響を低減する方法及びシステムに関する。
【背景技術】
【０００３】
パルスオキシメトリ（酸素飽和度計測）は現在、動脈血酸素飽和度（ＳｐＯ２）を連続監視するための看護標準となっている。パルスオキシメータは、動脈血酸素付加に関するインビボ瞬時計測値を提供しており、これにより、例えば動脈血低酸素症に対する早期警報を提供することができる。従来のパルスオキシメータは、少なくとも２つのＬＥＤエミッタとこの光を検出するための光検出器とを含む探触子を備えている。この探触子は、患者の指先や耳たぶに接続されている。エミッタからの光は、これらの組織を通過すると共に光検出器がこの光を検出しており、さらに送出され受け取られた光に基づいて該組織による光吸収が評価される。
【０００４】
パルスオキシメータの確度は幾つかの要因により決定される。パルスオキシメータの確度に影響を及ぼす重要な要因の１つは、ＬＥＤを駆動する回路と光検出器から信号を受け取る回路との間の直接的な電気クロストークである。このタイプのクロストークがあると、受け取った信号の上に非光学的な信号成分が重畳され、これにより誤った酸素飽和度読み値となることがある。電力消費が大きな懸案事項とならないような幅広パルスを用いた従来のパルスオキシメータではこの問題は存在しない。
【０００５】
しかし可搬式オキシメータ（特に、電池動作式オキシメータ）の場合には、電力消費が大きな懸案事項となり、パルス幅をあるレベルを超えて増大させることが不可能である。電力消費が低くなるほど、ＬＥＤを駆動するためのパルスをより幅狭とする必要があり、パルスがより幅狭になるとこの種のクロストークに対してより脆弱となる。この問題は、フォトダイオード検出器から受け取った信号が通常より弱くなるような患者の組織が通常より薄い場合にさらに悪化する。
【０００６】
さらに、パルスオキシメータ内部で発生するクロストークは、ＬＥＤを駆動する回路やフォトダイオード検出器からの検出信号を受け取る回路に関するトポロジー、並びに検出器を検出信号を受け取る回路と接続するケーブルやパルスオキシメータ内のＬＥＤエミッタを駆動するための駆動信号を接続する（すなわち、供給する）ケーブルに関するトポロジーに依存する。発生するクロストークは、使用されるケーブルや探触子の構成に応じて変動する。探触子は様々な製造者によって製造されているため、許容可能なクロストーク限界、ノイズその他は様々となり得る。したがって、今日のパルスオキシメータの多くは様々な製造者により製造される様々なタイプの探触子を受け容れるように構成されていても、これらの探触子が発生させるクロストークの影響に対する対処に関して特別な注意を払う必要がある。
【先行技術文献】
【特許文献】
【０００７】
【特許文献１】米国特許第６９１２４１３号
【特許文献２】米国特許第７２９５８６６号
【特許文献３】米国特許第６６９７６５８号
【特許文献４】米国特許第６９６３７６７号
【発明の概要】
【発明が解決しようとする課題】
【０００８】
したがって、クロストークの影響が最小となるように構成した改良型の低電力パルスオキシメータを提供する必要性が存在する。
【課題を解決するための手段】
【０００９】
上述の短所、欠点及び問題については、明細書の以下を読みかつ理解することによって了解されるようにして本明細書は対処している。
【００１０】
本発明の一実施形態は、パルスオキシメータ内のクロストークの影響を低減するための方法を提供する。本方法は、ＬＥＤ駆動信号に関する初期パルス幅及びパルスレートを設定する工程と、パルスオキシメータ内部で発生したクロストークを計測する工程と、ＬＥＤ駆動信号に関するパルス幅をクロストークを基準として最小化する工程と、を含む。
【００１１】
別の実施形態では、パルスオキシメトリ法について記載する。本方法は、ＬＥＤ駆動信号に関する初期パルス幅及びパルスレートを設定する工程と、パルスオキシメータ内部で発生したクロストークを取得する工程と、クロストークの値をしきい値と比較する工程と、クロストーク値がしきい値未満であると検出されたときにＬＥＤ駆動信号に関するデューティサイクルを調整する工程と、パルス幅が所望の値に調整された後に酸素付加の計測を開始する工程と、を含む。
【００１２】
さらに別の実施形態では、複数の光エミッタ及び少なくとも１つの検出器を用いて動脈血酸素飽和度（ＳｐＯ２）を監視する方法を開示する。本方法は、事前設定の初期特性を有するエミッタ駆動信号を用いて酸素付加の監視を開始する工程と、パルスオキシメータ内部で発生したクロストークを取得する工程と、該クロストークに由来して酸素付加の計測で発生する誤差値を決定する工程と、該誤差値をしきい値と比較する工程と、エミッタ駆動信号のデューティサイクルを誤差値がしきい値未満になるまで調整する工程と、動脈血酸素飽和度（ＳｐＯ２）を特定する工程と、を含む。
【００１３】
さらに別の実施形態では、複数の探触子に適応するようにパルスオキシメータを構成する方法を開示する。本方法は、複数の探触子から少なくとも１つの探触子を選択する工程と、該選択した探触子を事前設定の初期特性を有する駆動信号によって起動する工程と、選択した探触子に関してパルスオキシメータ内部で発生したクロストークの値にアクセスする工程と、選択した探触子に関して許容可能なクロストークのしきい値を取得する工程と、該探触子に由来して発生したクロストークを基準として駆動信号のデューティサイクルを最小化する工程であって該デューティサイクルはクロストークがしきい値に到達するまで最小化される最小化工程と、を含む。
【００１４】
さらに別の実施形態では、パルスオキシメータを開示する。本システムは、異なる波長で放射を放出するように構成された少なくとも２つのエミッタ及び該放射を受け取るための少なくとも１つの検出器を含んだ少なくとも１つの探触子と、事前設定の初期特性を有するように構成された駆動信号をエミッタに提供するための駆動ユニットと、パルスオキシメータ内部で発生した駆動信号と同期した電気クロストークを特定するように構成されたクロストーク特定器と、駆動信号のデューティサイクルをクロストークを基準として調整するように構成されたプロセッサと、を備える。
【００１５】
本発明に関する様々な別の短所、欠点及び問題については、添付の図面及びその詳細な説明から当業者には明らかとなろう。
【図面の簡単な説明】
【００１６】
【図１】本発明の一実施形態の記載に従ったパルスオキシメータ内のクロストークの影響を低減する方法を表した流れ図である。
【図２】本発明の例示的な一実施形態の記載に従ったパルスオキシメトリ法を表した流れ図である。
【図３】本発明の別の例示的実施形態の記載に従ったパルスオキシメトリ法を表した流れ図である。
【図４】本発明の一実施形態の記載に従った複数の探触子に適応するようにパルスオキシメトリシステムを構成する方法を表した流れ図である。
【図５】本発明の一実施形態の記載に従ったパルスオキシメータの詳細ブロック図である。
【発明を実施するための形態】
【００１７】
以下の詳細な説明では、本明細書の一部を形成すると共に、実施可能な特定の実施形態を一例として図示している添付の図面を参照することにする。これらの実施形態は、当業者が実施形態を実現できるように十分に詳細に記載しており、さらにこれら実施形態の趣旨を逸脱することなく、別の実施形態が利用されることがあり得ること、並びに論理的、機械的、電気的その他の変更が実施されることがあり得ること、を理解すべきである。以下の詳細な説明はしたがって、本発明の範囲を限定するものと取るべきではない。
【００１８】
本発明の様々な実施形態によって、パルスオキシメータ内のクロストークの影響を低減する方法が提供される。本発明は、パルスオキシメータ内部で発生する電気クロストークに対処するものである。
【００１９】
一実施形態では、本発明はパルスオキシメータにおいて電力消費を制御する方法を容易にする。駆動信号のパルス幅が最小のときに、電力消費は最小となる。しかしパルス幅が最小になると、クロストークが酸素付加計測の確度に悪影響を与えることになる。したがって、酸素付加計測に対するクロストークの影響を最小限にしながら、パルスオキシメータを依然として電力効率がよいままとさせるようなデューティサイクルの最適値を導出することが必要である。
【００２０】
一実施形態では、本発明はパルスオキシメータシステム内の駆動信号のデューティサイクルを、システムが酸素付加を監視している間であってもリアルタイムで変化させる方法を提唱する。
【００２１】
一実施形態では、酸素付加計測におけるクロストークの影響を回避するために、クロストークを基準として検出器信号のデューティサイクルが修正される。
【００２２】
本明細書で言及している「クロストーク」という用語は、抵抗性、誘導性、容量性その他の様々な電力結合に起因してパルスオキシメータ内部で発生する電気クロストークのことを意味している。このクロストークは、パルスオキシメトリシステムに不可欠な様々なケーブルに起因して発生することがある。クロストークは主に、駆動信号を駆動ユニットから探触子内のＬＥＤまで伝達するケーブルや、検出信号を探触子内部に配置された検出器から増幅器まで伝達する別のケーブルに由来する。
【００２３】
図１は、本発明の一実施形態の記載に従ったパルスオキシメータ内のクロストークの影響を低減する方法を表した流れ図である。工程１１０では、パルスオキシメータ内のＬＥＤ駆動信号が初期パルス幅及びパルスレートを用いて規定される。パルスオキシメータには、エミッタ及び光検出器を含む探触子が設けられている。このエミッタは組織を通過させて光を放出するように構成されており、またこの光検出器は組織の外に出る光を検出するように構成されている。このＬＥＤは駆動信号により駆動される。この駆動信号はＬＥＤをトリガしており、また一例ではこのＬＥＤは１ミリ秒あたり約１００〜５００パルスの周波数で切り替えることが必要である。可搬式のパルスオキシメータでは、この周波数はより高くなる。駆動信号は、その有する大きさを様々にした電流パルスの形態をしている。駆動信号の初期反復周波数及びパルス幅、あるいはデューティサイクルは、その用途や使用する探触子に基づいた事前設定値になるように設定される。
【００２４】
工程１２０では、パルスオキシメータ内部で発生したクロストークが計測される。クロストークの計測には、漏れ抵抗器を用いる、駆動信号の振幅を固定パターンで変化させる、その他などの別の機構を用いることができる。そのクロストーク計測は必ずしも、言及した例に限定するものではなく、クロストークを計測するためにシステムは任意の技法を使用することができる。一実施形態では、ＬＥＤ駆動信号と同期した電気クロストークが計測される。この電気クロストークは、ケーブルトポロジーに由来する駆動信号から検出信号へあるいは駆動信号内部での容量性、抵抗性または誘導性の電力結合のうちの少なくとも１つに起因する可能性がある。抵抗性、容量性または誘導性の電力結合により生じるクロストークは一緒に計測することも別々に計測することもできる。さらにこのクロストークは、幾つかの標準値に基づいて酸素付加レベルの計測前に計測することが可能であり、また動脈血酸素飽和度（ＳｐＯ２）の間に計測することが可能である。
【００２５】
工程１３０では、パルス幅がクロストークを基準として最小化される。酸素付加を監視する際に使用される各探触子ごとに、許容可能なクロストークレベルを示す１つのしきい値が存在する。計測されたクロストークはこのしきい値と比較されると共に、これに基づいて駆動信号のパルス幅が最小化される。パルス幅はクロストークがしきい値内に留まるまで増加させる。パルス幅の低減によって電力消費も低減されることになる。
【００２６】
一例では、計測した酸素付加信号から誤差信号が発生することがある。この誤差信号は許容可能な誤差限界を示す標準しきい値と比較され、その誤差値がしきい値域内であれば、そのパルス幅が最小化されることがある。クロストークの監視中にパルス幅を最小化することによって、計測に対するクロストークの影響を最小限として電力効率の高い方法が保証される。
【００２７】
一例では、検出器により検出した検出信号のパルス幅が酸素付加の計測に対するクロストークの影響を低減するように調整を受けることがある。この検出信号のパルス幅はそのクロストークに基づいて変更される。パルス幅は検出信号のサンプリングを遅延させるように増加させることがある。これによって、検出信号のサンプリング前におけるクロストークのダイオフ（ｄｉｅ  ｏｆｆ）が容易になる。
【００２８】
一実施形態では、計測したクロストークに基づいて、駆動信号のパルスレートまたは周波数が修正または調整されることがある。この調整はさらに、クロストークの影響を低減する際に支援となる。
【００２９】
図２は、本発明の例示的な一実施形態の記載に従ったパルスオキシメトリ法を表した流れ図である。パルスオキシメトリ法は血液中の酸素付加レベルを記録するために使用される。工程２１０では、ＬＥＤ駆動信号に関して初期パルス幅またはパルスレートが設定される。この設定はその用途に基づいて実施されること、及び／またはパルスオキシメトリシステム内に存在するその探触子や電気構成要素のトポロジーに基づいて実施されることがある。工程２２０では、パルスオキシメータシステム内部で発生したクロストークが計測される。ＬＥＤ駆動信号と同期したクロストークが計測される。このクロストークは漏れ抵抗器を用いて計測されることや、駆動信号を振幅変調することによって計測されることがある。酸素付加計測の前にクロストークが決定される場合、クロストークをトレイル入力（ｔｒａｉｌ  ｉｎｐｕｔ）に基づいて計測することがある。工程２３０では、クロストークの計測値がしきい値と比較される。このしきい値はその用途に基づいて規定されることや、探触子自体の仕様に関して設けられることがある。工程２４０では、ＬＥＤ駆動信号に関するデューティサイクルまたはパルス幅が調整される。駆動信号のパルス幅はクロストークを考慮することによって調整されることがある。パルスオキシメータで計測されるクロストークがしきい値より小さい場合に、駆動信号のパルス幅が修正されることがある。パルス幅を低減することによって、電力消費が低減される。さらにクロストークに基づいて、検出信号のサンプリング前にクロストークをダイオフできるように、パルスオキシメータ内の光検出器によって検出した検出信号のパルス幅を増大させることがある。工程２５０では、酸素付加の計測が開始される。この計測は所望のパルスレベルを設定した後に開始される可能性がある。しかしクロストークは酸素付加を計測する間であってもリアルタイムで監視することができ、またパルス幅はこれに従って調整されることがある。
【００３０】
一例では、パルスオキシメータシステムに伴って複数の探触子が使用される可能性がある。これらの複数の探触子には、様々な製造者により製造される様々な探触子が含まれる。したがって、異なる探触子は許容可能なクロストークの異なるしきい値レベルを有することがあり、またこれに基づいて対応する駆動信号のパルス幅が調整されることがある。
【００３１】
図３は、本発明の別の例示的実施形態の記載に従ったパルスオキシメトリ法を表した流れ図である。工程３１０では、事前設定の初期特性を有するエミッタ駆動信号を用いて血液酸素付加レベルの監視が開始される。この初期特性は、その用途に基づいて及び／またはパルスオキシメトリシステム内に存在する探触子その他の電気構成要素に基づいて設定されることがある。事前設定の特性を備えたエミッタ駆動信号は、エミッタをトリガし光を放出させるように構成されている。放出された光は、指先や耳たぶなどの組織を通過して、光検出器によって検出される。工程３２０では、パルスオキシメータ内部で発生したクロストークが取得される。ＬＥＤ駆動信号と同期した電気クロストークが計測される。工程３３０では、クロストークに由来して酸素付加計測において発生した誤差値が決定される。この決定は既存の様々な技法を用いて実現することが可能である。工程３４０では、誤差値がしきい値と比較される。このしきい値はクロストークに由来する酸素付加レベルの最大許容可能な誤差限界である。システムが複数の探触子を用いている場合、各探触子は異なるしきい値を有することがある。工程３５０では、その誤差値に基づいてエミッタ駆動信号のパルス幅が調整される。計測酸素レベルの誤差値が誤差しきい値未満である場合、駆動信号のパルス幅を最小化させることがある。さらに計算した誤差に基づいて、パルス幅の最小化をどの範囲で可能とさせるのかを決定することもある。工程３６０では、修正したパルス幅をもったエミッタ駆動信号を用いて、動脈血酸素飽和度（ＳｐＯ２）が決定されるまで酸素付加レベルの監視が継続される。
【００３２】
一例では、エミッタ駆動信号のパルス幅をリアルタイムで調整することがある。計測した酸素付加レベルから、クロストークに由来する計測の誤差をリアルタイムで計算し、さらにこの比較結果に基づいてエミッタ駆動信号のパルス幅が調整される。
【００３３】
図４は、本発明の一実施形態の記載に従った複数の探触子に適応するようにパルスオキシメトリシステムを構成する方法を表した流れ図である。工程４１０では、複数の利用可能な探触子から少なくとも１つの探触子が選択される。パルスオキシメータは、異なる製造者からの探触子や異なる構成や仕様を有する探触子に適応するように構成されることがある。異なる探触子の構成とその標準値及びトポロジーとは、互いに様々に変えることができる。複数の探触子はパルスオキシメトリシステムに同時に接続させることがあり、あるいは利用可能な複数の探触子から同時には１つの探触子が選択されることがある。工程４２０では、選択した探触子が駆動信号によって起動される。この駆動信号は、パルス幅またはデューティサイクル及びパルス反復速度または周波数を含む事前設定の初期特性を有するように構成される。これは、その用途に基づいて設定されることや、探触子に基づいて設定されることがある。工程４３０では、パルスオキシメータ内部で発生したクロストークの値は、パルスオキシメータシステム内のケーブルに起因する電力結合に由来する。このケーブルには、駆動信号を伝達するケーブルも含むことがある。駆動信号と同期した電気クロストークが計測されると共に、様々な利用可能な技法に基づいてクロストークの値が決定されることがある。工程４４０では、選択した探触子に対応したクロストーク許容値のしきい値が取得される。この値は、探触子またはパルスオキシメータシステムの仕様内に言及されたものとすることがある。別法として、クロストークに起因して酸素付加計測で発生する誤差が計算されることがあり、またこの計測誤差値と誤差しきい値の間で比較が実施されることがある。工程４５０では、特定されたクロストークを基準として検出信号のデューティサイクルが調整されることがある。クロストークは探触子に対応するしきい値と比較されると共に、取得したクロストーク値がしきい値未満になるまでデューティサイクルが調整される。
【００３４】
異なるタイプのクロストーク、ノイズまたは起こり得る別の任意の誤差が探触子によって検出される場合、これらの値が取得されその対応するしきい値と個別に比較されることがある。この比較結果に基づいて、駆動信号または検出信号のパルス幅がこれに応じて調整されることがある。
【００３５】
図５は、本発明の一実施形態の記載に従ったパルスオキシメータの詳細ブロック図である。このパルスオキシメータは、光放射を放出するように構成されたエミッタ５１２を有する探触子５１０を含む。探触子５１０は患者の指または耳たぶに接続される。一例では、２種類の波長で光を放出させるために２つのＬＥＤが設けられる。この光は、動脈血酸素飽和度（ＳｐＯ２）を計測するために組織を通過させる。探触子５１０はさらに、一般的には組織を通過して放出された光を検出するように構成されたフォトダイオード検出器５１４であるような検出器を含む。駆動ユニット５２０はＬＥＤを起動するように構成される。駆動ユニット５２０は固定のパルス幅及びパルスレートでパルスを発生させており、またこれらのパルスによってＬＥＤをトリガしている。これらのパルスの大きさはその用途に応じて様々な大きさとすることができる。パルスレートまたはパルス周波数も最初に設定される。駆動ユニット５２０は、ケーブル（図示せず）を通じて探触子５１０に接続させることができ、このケーブルは一般により長尺の基幹ケーブルとより短尺の探触子ケーブルという２つの区間に分けられる。ケーブルの長さ及びトポロジーに基づいて、駆動信号に異なる種類のノイズやクロストークが導入されることがあり、これがケーブルを通って駆動ユニット５２０から探触子５１０に伝えられる。
【００３６】
光検出器５１４は組織から出てきた光を検出しており、またこの検出器５１４が検出した信号（検出信号）は検出信号を増幅するための増幅器５３０に送られる。検出信号はケーブルによって増幅器５３０に伝達される。駆動信号と検出器信号の間には抵抗性、誘導性、容量性のクロストーク（図５では参照番号５４０を用いて図示）が存在する。クロストーク５４０は、この２つの信号間の電力結合に主に起因して発生する。クロストーク５４０を計測するためにクロストーク特定器５５０が設けられる。クロストーク特定器５５０はパルスオキシメータ内部で発生したクロストーク５４０を計測しており、駆動信号と同期した電気クロストークが計測されている。クロストーク特定器５５０により計測したクロストーク５４０はプロセッサ５６０に供給される。プロセッサ５６０にはさらに、パルス幅、パルス周波数、しきい値その他に関する初期値が提供される。計測値はプロセッサ５６０によってしきい値と比較される。選択した探触子のしきい値は、探触子の種別や性質に基づいて特定されることや、オペレータによってプロセッサ５６０にしきい値が入力されることがある。プロセッサ５６０はさらに、パルス調整回路５７０と連携させることがある。パルス調整回路５７０は、駆動ユニット５２０に制御信号を提供していると共に、駆動信号や検出信号のパルス幅を調整するように構成されている。パルス調整回路５７０は、プロセッサ５６０からの命令に基づいてパルス幅を調整する。一例ではそのパルス調整回路５７０は、プロセッサ５６０自体の一部とすることがある。したがって特定されたまたは計測されたクロストーク値に基づいて、パルス調整回路５７０はクロストークがしきい値に到達するまでパルス幅を調整する。
【００３７】
増幅器５３０はサンプリング機構５８０に検出信号を供給しており、この検出信号は動脈血酸素飽和度（ＳｐＯ２）を特定するようにサンプリングを受ける。一例ではこの検出信号のサンプリングはクロストークに基づいて遅延される。検出信号のサンプリング前にクロストークをダイオフできるように、検出信号のデューティサイクルを増大させることや検出信号のサンプリングを遅延させることがある。
【００３８】
本発明の様々な実施形態の利点にはパルスオキシメータの動作性能の向上が含まれる。動脈血酸素飽和度（ＳｐＯ２）計測におけるクロストークの影響を低減または最小化することができる。さらに本発明の実施形態はパルスオキシメータの電力消費を低減する方法を提唱する。
【００３９】
したがって本発明の様々な実施形態は、パルスオキシメータ内のクロストークの影響を低減するための方法及びシステムについて記載している。本発明の別の態様はパルスオキシメータの電力消費を低減する方法を提唱する。
【００４０】
本明細書で使用する場合、単数形で「ａ」や「ａｎ」の語を前に付けて記載した要素や工程は、これに関する複数の要素や工程も排除していない（こうした排除を明示的に記載している場合を除く）と理解すべきである。さらに、本発明の「一実施形態」に対する言及は、記載した特徴も組み込んでいる追加的な実施形態の存在を排除すると理解されるように意図したものではない。
【００４１】
以上では例示的な実施形態について詳細に記載した。アセンブリ及び方法は本明細書に記載した特定の実施形態に限定されるものではなく、各アセンブリ及び／または方法の構成要素を単独で利用することや本明細書に記載した別の構成要素と分離して使用することができる。さらに本作業フローに関する各工程は必ずしも図面に示した順序に従う必要はなく、また本作業フロー内において各工程は必ずしも方法を完了させるように実行する必要はない。
【００４２】
本発明について好ましい実施形態を参照しながら記載してきたが、当業者であれば、これらの実施形態に対して本発明の精神を逸脱することなくある種の代替、変更及び省略を実施できることを理解されよう。したがって、上に示した説明は単に例示的な意味であり、添付の特許請求の範囲に示した本発明の範囲を限定するものではない。
【符号の説明】
【００４３】
１１０  初期パルス幅を設定する工程
１２０  クロストークを計測する工程
１３０  クロストークを基準としてパルス幅を調整する工程
２１０  初期パルス幅を設定する工程
２２０  クロストークを取得する工程
２３０  クロストークをしきい値と比較する工程
２４０  デューティサイクルを調整する工程
２５０  酸素付加計測を開始する工程
３１０  初期パルス幅を設定する工程
３２０  クロストークを取得する工程
３３０  誤差値を決定する工程
３４０  誤差値をしきい値と比較する工程
３５０  デューティサイクルを調整する工程
３６０  動脈血酸素飽和度を特定する工程
４１０  １つの探触子を選択する工程
４２０  探触子を起動する工程
４３０  クロストークを取得する工程
４４０  選択した探触子に関するしきい値を取得する工程
４５０  デューティサイクルを最小化する工程
５１０  探触子
５１２  エミッタ
５１４  検出器
５２０  駆動ユニット
５３０  増幅器
５４０  クロストーク
５５０  クロストーク特定器
５６０  プロセッサ
５７０  パルス調整回路
５８０  サンプリング機構
【図１】
0005330883.tif 000002
【図２】
0005330883.tif 000003
【図３】
0005330883.tif 000004
【図４】
0005330883.tif 000005
【図５】
0005330883.tif 000006